(57)【要約】      （修正有）【課題】流れる新鮮な飲料水をペットに供給可能なペット用水飲み装置を提供する。【解決手段】ペット用水飲み装置は、貯水タンク１１０と、貯水タンク１１０内に取り付けられる水ポンプと、貯水タンク１１０の上端に取り付けられる上トレイ１３０と、上トレイ１３０の上方に取り付けられる貯水トレイ１５０と、上トレイ１３０と貯水トレイ１５０との間に設置されるフィルターと、を含む。前記水ポンプの排水口は、貯水トレイ１５０の給水口に連通する。前記貯水タンク１１０内の水は、水ポンプの排水口を介して上方に向けて貯水トレイ１５０の給水口に流入して、貯水トレイ１５０から上トレイ１３０に流れ落ちた後、フィルターによって濾過されてから上トレイ１３０を経て貯水タンク１１０内に還流する。【選択図】図２
2019162096.tif 000002
【特許請求の範囲】
【請求項１】
ペット用水飲み装置であって、
貯水タンクと、
貯水タンク内に取り付けられる水ポンプと、
上トレイと、
上トレイの上方に取り付けられる貯水トレイと、
上トレイと貯水トレイとの間に設置されるフィルターと、を含み、
前記水ポンプの排水口は、貯水トレイの給水口に連通し、
前記貯水タンク内の水は、水ポンプの排水口を介して上方に向けて貯水トレイの給水口に流入して、貯水トレイからフィルターによって濾過されてから上トレイを経て貯水タンク内に還流することを特徴とするペット用水飲み装置。
【請求項２】
前記上トレイは、貯水タンクの上端に当接される上端縁を有し、
前記上トレイの中部には、下方に凹んだ凹溝が形成され、
前記凹溝の底部の中心には、貯水タンク内まで貫通する第１中空管が設置され、第１中空管を取り囲んで複数の貫通孔が開設され、
前記フィルターは、前記凹溝内に収容され第１中空管の外周に外嵌されることを特徴とする請求項１に記載のペット用水飲み装置。
【請求項３】
前記上トレイには、貯水タンクの内部空間と直接に連通する少なくとも１つの溢水孔が開設されることを特徴とする請求項２に記載のペット用水飲み装置。
【請求項４】
前記貯水トレイには、下方に延びる第２中空管が設けられ、
前記第２中空管は、上トレイの第１中空管を通過して水ポンプの排水口に連結され、
前記貯水トレイには、複数の落水孔が設置され、これにより、貯水トレイの水が流れ落ちてフィルターによって濾過された後、前記凹溝内の複数の貫通孔を介して貯水タンク内に還流することを特徴とする請求項２に記載のペット用水飲み装置。
【請求項５】
前記貯水トレイの、第２中空管の上端を取り囲んで形成される内縁と前記上トレイに支持される外縁との間には、水を溜めることが可能な空間が形成されることを特徴とする請求項４に記載のペット用水飲み装置。
【請求項６】
前記貯水トレイの上方に取り付けられる花形ノズルをさらに含み、
前記貯水タンク内の水は、水ポンプの排水口を介して上方に向けて貯水トレイの給水口に流入してから花形ノズルに流入して、貯水トレイに流れ落ちた後にフィルターによって濾過されて、上トレイを経て貯水タンク内に還流することを特徴とする請求項１に記載のペット用水飲み装置。
【請求項７】
前記花形ノズルの外周には、複数の排水口が設けられ、前記花形ノズルの中心には、貯水トレイの第２中空管内に挿着される第３中空管が下方へ延びて設けられ、
前記花形ノズルには、第３中空管の頂部に被せる止水トップカバーがさらに設けられ、
前記貯水タンク内の水は、水ポンプの排水口を介して上方へ向けて貯水トレイの第２中空管に流入して、花形ノズルの第３中空管に流入した後に排水口から流出することを特徴とする請求項６に記載のペット用水飲み装置。
【請求項８】
前記花形ノズルの第３中空管の上端には、外方へ延びる上縁が形成され、前記上縁を取り囲んで複数の花弁状の突起が等間隔で形成され、
各隣り合う２つの花弁状の突起の間の隙間は、前記排水口として形成されることを特徴とする請求項７に記載のペット用水飲み装置。
【請求項９】
前記止水トップカバーは、複数の前記花弁状の突起の内側の上部を覆う天板と、天板の底面の中部から下方へ延びる第４中空管とを含み、
前記第４中空管の下部は、第３中空管に螺接され、前記第４中空管の上部には、各排水口に対応して開口が形成されることを特徴とする請求項８に記載のペット用水飲み装置。
【請求項１０】
前記貯水タンク内の底部には、第１周位置規制部が形成され、
前記水ポンプの底部には、前記第１周位置規制部によって囲まれる領域内に吸着される吸盤が設置されることを特徴とする請求項１に記載のペット用水飲み装置。
【請求項１１】
前記水ポンプの給水口には、濾過スポンジがさらに設置され、
前記濾過スポンジは、貯水タンク内の底部に形成される第２周位置規制部によって囲まれる領域内に設置されることを特徴とする請求項１０に記載のペット用水飲み装置。
【請求項１２】
前記貯水タンク内には、側壁に沿って上端から下方に向けて貯水タンクの底部の外まで貫通する配線溝が設けられ、
前記水ポンプの電源コードは、前記配線溝を通り抜けて貯水タンクの底部から導出されることを特徴とする請求項１に記載のペット用水飲み装置。
【請求項１３】
前記貯水タンクの側壁の底端には、電源コードを容易に導出するための配線導出切欠口が開設されることを特徴とする請求項１２に記載のペット用水飲み装置。
【請求項１４】
前記配線溝の上端には、配線導入切欠口が開設されることで、水ポンプの電源コードを前記配線導入切欠口から配線溝に導入することを特徴とする請求項１２に記載のペット用水飲み装置。
【請求項１５】
前記配線溝の上端には、配線溝の上端を封止する弾性栓部が設置され、
前記弾性栓部には、配線導入切欠口が開設されることで、水ポンプの電源コードを前記配線導入切欠口から配線溝に導入することを特徴とする請求項１２に記載のペット用水飲み装置。
【請求項１６】
前記貯水タンクの側壁には、透明または半透明な覗き窓が設置されることを特徴とする請求項１に記載のペット用水飲み装置。
【請求項１７】
前記貯水トレイは、係止構造またはタイトフィット構造によって前記上トレイ上に固定され、
前記上トレイは、係止構造またはタイトフィット構造によって前記貯水タンク上に固定されることを特徴とする請求項１に記載のペット用水飲み装置。
【請求項１８】
前記貯水タンクの頂端には、前記上トレイと前記貯水タンクとを容易に分離させるための少なくとも１つの切欠口が設置されることを特徴とする請求項１７に記載のペット用水飲み装置。
【請求項１９】
前記フィルターは、複数の収容室を有する不織布下層と、前記不織布下層に固定的に接続されて複数の前記収容室を密閉するための不織布上層とを含み、
複数の前記収容室内には、いずれも濾過材が充填されることを特徴とする請求項１に記載のペット用水飲み装置。
【発明の詳細な説明】
【技術分野】
【０００１】
本発明は、ペット飼育用品に関し、より具体的には、ペット用水飲み装置に関する。
【背景技術】
【０００２】
経済水準や生活の質の向上に伴って、ペットを飼い始める人は多くなってきている。従来の最も簡単なペット用水飲み装置は、一般的に使用されている、開放される碗またはボウルである。水飲み用ボウルに水を満たしてペットに飲ませる。しかしながら、このような水飲み装置に貯留される水は流れないため、流れる流水を飲むのが好きな猫や犬などのペットの習慣に合わない。さらに、貯留される水は完全に露出されているため、長時間放置されるとボウル内の水が十分に新鮮とならないことが多い。ペットは流れる健康的な水を飲むことができなくて、ペットの健康に影響を与える。
【発明の概要】
【発明が解決しようとする課題】
【０００３】
本発明が主に解決しようとする技術的課題は、従来技術の上記問題を解決し、流れる新鮮な飲料水をペットに供給可能なペット用水飲み装置を提供することである。
【課題を解決するための手段】
【０００４】
本発明の上記問題を解決するために採用する技術方案はペット用水飲み装置を提供することである。当該ペット用水飲み装置は、貯水タンクと、貯水タンク内に取り付けられる水ポンプと、貯水タンクの上端に取り付けられる上トレイと、上トレイの上方に取り付けられる貯水トレイと、上トレイと貯水トレイとの間に設置されるフィルターと、を含む。前記水ポンプの排水口は、貯水トレイの給水口に連通する。前記貯水タンク内の水は、水ポンプの排水口を介して上方に向けて貯水トレイの給水口に流入して、貯水トレイから上トレイに流れ落ちた後、フィルターによって濾過されてから上トレイを経て貯水タンク内に還流する。
【０００５】
本発明に係るペット用水飲み装置の一実施例では、前記上トレイは、貯水タンクの上端に当接される上端縁を有する。前記上トレイの中部には、下方に凹んだ凹溝が形成され、前記凹溝の底部の中心には、貯水タンク内まで貫通する第１中空管が設置され、第１中空管を取り囲んで複数の貫通孔が開設される。前記フィルターは、前記凹溝内に収容され第１中空管の外周に外嵌される。
【０００６】
本発明に係るペット用水飲み装置の一実施例では、前記上トレイには、貯水タンクの内部空間と直接に連通する少なくとも１つの溢水孔が開設される。
【０００７】
本発明に係るペット用水飲み装置の一実施例では、前記貯水トレイには、下方に延びる第２中空管が設けられる。前記第２中空管は、上トレイの第１中空管を通過して水ポンプの排水口に連結される。前記貯水トレイには、複数の落水孔が設置され、これにより、貯水トレイの水が流れ落ちてフィルターによって濾過された後、前記凹溝内の複数の貫通孔を介して貯水タンク内に還流する。
【０００８】
本発明に係るペット用水飲み装置の一実施例では、前記貯水トレイの、第２中空管の上端を取り囲んで形成される内縁と前記上トレイに支持される外縁との間には、水を溜めることが可能な空間が形成される。
【０００９】
本発明に係るペット用水飲み装置の一実施例では、前記貯水トレイの上方に取り付けられる花形ノズルをさらに含む。前記貯水タンク内の水は、水ポンプの排水口を介して上方に向けて貯水トレイの給水口に流入してから花形ノズルに流入して、貯水トレイに流れ落ちた後にフィルターによって濾過されて、上トレイを経て貯水タンク内に還流する。
【００１０】
本発明に係るペット用水飲み装置の一実施例では、前記花形ノズルの外周には、複数の排水口が設けられ、前記花形ノズルの中心には、貯水トレイの第２中空管内に挿着される第３中空管が下方へ延びて設けられる。前記花形ノズルには、第３中空管の頂部に被せる止水トップカバーがさらに設けられる。前記貯水タンク内の水は、水ポンプの排水口を介して上方へ向けて貯水トレイの第２中空管に流入して、花形ノズルの第３中空管に流入した後に排水口から流出する。
【００１１】
本発明に係るペット用水飲み装置の一実施例では、前記花形ノズルの第３中空管の上端には、外方へ延びる上縁が形成され、前記上縁を取り囲んで複数の花弁状の突起が等間隔で形成される。各隣り合う２つの花弁状の突起の間の隙間は、前記排水口として形成される。本発明に係るペット用水飲み装置の一実施例では、前記止水トップカバーは、複数の前記花弁状の突起の内側の上部を覆う天板と、天板の底面の中部から下方へ延びる第４中空管とを含む。前記第４中空管の下部は、第３中空管に螺接され、前記第４中空管の上部には、各排水口に対応して開口が形成される。
【００１２】
本発明に係るペット用水飲み装置の一実施例では、前記貯水タンク内の底部には、第１周位置規制部が形成される。前記水ポンプの底部には、前記第１周位置規制部によって囲まれる領域内に吸着される吸盤が設置される。
【００１３】
本発明に係るペット用水飲み装置の一実施例では、前記水ポンプの給水口には、濾過スポンジがさらに設置される。前記濾過スポンジは、貯水タンク内の底部に形成される第２周位置規制部によって囲まれる領域内に設置される。
【００１４】
本発明に係るペット用水飲み装置の一実施例では、前記貯水タンク内には、側壁に沿って上端から下方に向けて貯水タンクの底部の外まで貫通する配線溝が設けられる。前記水ポンプの電源コードは、前記配線溝を通り抜けて貯水タンクの底部から導出される。
【００１５】
本発明に係るペット用水飲み装置の一実施例では、前記貯水タンクの側壁の底端には、電源コードを容易に導出するための配線導出切欠口が開設される。
【００１６】
本発明に係るペット用水飲み装置の一実施例では、前記配線溝の上端には、配線導入切欠口が開設されることで、水ポンプの電源コードを前記配線導入切欠口から配線溝に導入する。
【００１７】
本発明に係るペット用水飲み装置の一実施例では、前記配線溝の上端には、配線溝の上端を封止する弾性栓部が設置される。前記弾性栓部には、配線導入切欠口が開設されることで、水ポンプの電源コードを前記配線導入切欠口から配線溝に導入する。
【００１８】
本発明に係るペット用水飲み装置の一実施例では、前記貯水タンクの側壁には、透明または半透明な覗き窓が設置される。
【００１９】
本発明に係るペット用水飲み装置の一実施例では、前記貯水トレイは、係止構造またはタイトフィット構造によって前記上トレイ上に固定される。前記上トレイは、係止構造またはタイトフィット構造によって前記貯水タンク上に固定される。
【００２０】
本発明に係るペット用水飲み装置の一実施例では、前記貯水タンクの頂端には、前記上トレイと前記貯水タンクとを容易に分離させるための少なくとも１つの切欠口が設置される。
【００２１】
本発明に係るペット用水飲み装置の一実施例では、前記フィルターは、複数の収容室を有する不織布下層と、前記不織布下層に固定的に接続されて複数の前記収容室を密閉するための不織布上層とを含む。複数の前記収容室内には、いずれも濾過材が充填される。
【発明の効果】
【００２２】
本発明に係るペット用水飲み装置は以下の顕著な効果を奏する。前記ペット用水飲み装置は、貯水タンク内に貯留される水を、水ポンプによって装置全体の上部の貯水トレイ内に汲み入れて、貯水トレイからその水を流出させてフィルターによって濾過した後に貯水タンクの内部に還流させ、これにより、ペットに流水を供給して飲ませることができる。貯水トレイの上方に設置される花形ノズルにより、水流は花形ノズルの外周の複数の排水口を介して流出して、複数の水流に形成されて花形ノズルの下方の貯水トレイに流れ落ちた後に貯水タンク内に還流する。こうすることで、複数の噴水式の流水をペットに供給することができるだけでなく、ペットに貯水トレイ内の水を直接に飲ませることを容易にし、複数のペットが装置の周りで水を同時に飲むことも容易にすることもでき、ペットの水飲みの快適性を確保し、水流の安定や新鮮を維持して水を飲むペットの健康を保障する。
【図面の簡単な説明】
【００２３】
以下、本発明の実施例について、図面を参照しながら詳しく説明する。
【図１】本発明の第１実施例に係るペット用水飲み装置の分解構造を示す図である。
【図２】図１で示されるペット用水飲み装置の組立構造を示す斜視図である。
【図３】図２で示されるペット用水飲み装置の内部構造を示す断面図である。
【図４】本発明の第１実施例の花形ノズルの分解展開図である。
【図５】図４で示される花形ノズルの一部を示す断面図である。
【図６】本発明の第１実施例のフィルターの分解構造を示す図である。
【図７】本発明の第２実施例に係るペット用水飲み装置の分解構造を示す図である。
【図８】図７で示されるペット用水飲み装置の組立構造を示す斜視図である。
【図９】図８で示されるペット用水飲み装置の内部構造を示す断面図である。
【図１０】本発明の第２実施例の貯水タンクの構造を示す斜視図である。
【図１１】本発明の第２実施例の水ポンプ及び弾性栓部の構造を示す図である。
【発明を実施するための形態】
【００２４】
本発明の目的、技術案及びメリットをより明確且つ明瞭にするために、以下、図面及び実施例を合わせながら、本発明を更に詳細に説明する。ここで、説明する具体的な実施例は、本発明を解釈するためのものに過ぎず、本発明を限定するためのものではないことは理解できるであろう。
図１〜図３に示すように、本発明の第１実施例に係るペット用水飲み装置１００は、主に、貯水タンク１１０、水ポンプ１２０、上トレイ１３０、フィルター１４０、貯水トレイ１５０及び花形ノズル１６０からなる。貯水タンク１１０の底部は密閉され、その上端は開放する。貯水タンク１１０は、ペットが飲用する水を貯留するためのものである。貯水タンク１１０の少なくとも１つの側壁には、利用者が貯水タンク１１０内の水位を覗くための透明な覗き窓１１３がさらに設けられる。貯水タンク１１０内の底部には、下方に凹んだ凹溝１１４が形成され、凹溝１１４に沿って位置決めブロック１１５（図３を参照）が設置される。水ポンプ１２０は、凹溝１１４内に着脱可能に装着され、例えば、底部に設置される吸盤１２３によって凹溝１１４内に吸着されてもよい。水ポンプ１２０の給水口１２１には、水ポンプ１２０に流入する水を前濾過するための濾過スポンジ１７０が設置されることが好ましい。また、図１に示すように、貯水タンク１１０内には、側壁に沿って配線溝１１１が設けられる。前記配線溝１１１は、貯水タンク１１０の上端から下方に延びて貯水タンク１１０の底部の外まで貫通する。これにより、水ポンプ１２０の電源コードは、前記配線溝１１１の上端から下方に向けて前記配線溝１１１を通り抜けた後に貯水タンク１１０の底部から導出される。このような設計は、電源コードを貯水タンク１１０の底部から直接に導出する方案に比べて、貯水タンク１１０内の水が電源コードの導出口から漏れないことを確保することができる。さらに、配線溝１１１の上端には、配線導入切欠口１１１１が開設されてもよい。電源コードは、配線導入切欠口１１１１から配線溝１１１内に導入されると、配線溝１１１の上端に１つの栓部１８０（例えば、ゲルブロック）を設置して配線溝１１１の上端を封止し、配線溝１１１内からの水漏れをより効果的に防止することができる。
【００２５】
また、図１〜図３に示すように、上トレイ１３０は、貯水タンク１１０の上端に着脱可能に被せる。具体的には、図１に示すように、上トレイ１３０には、貯水タンク１１０の上端の形状と一致して貯水タンク１１０の上端に当接される上端縁１３２が設けられる。上トレイ１３０の対向する２つの側壁の外側には、貯水タンク１１０の対応する内壁によって形成される係止溝１１２に係合する係止突起１３８が設けられ、これにより、両者の係合、固定を実現する。上トレイ１３０の中部には、フィルター１４０を収納するための、下方に凹んだ凹溝１３３が形成される。具体的には、図１及び図３に示すように、凹溝１３３の底部の中心には、貯水タンク１１０内まで貫通する第１中空管１３５が設置される。凹溝１３３の底部には、水浸透のための複数の貫通孔１３６が第１中空管１３５を取り囲んで開設される。フィルター１４０は、その中心部の貫通孔を介して、第１中空管１３５の外周に外嵌されるとともに凹溝１３３内にちょうど設置される。上トレイ１３０には、貯水トレイ１５０を取り付けるための第１段部１３４が凹溝１３３の上端を囲んで外方へ水平に延びて形成される。貯水トレイ１５０は、第１段部１３４の外形と一致する外部輪郭を有する。貯水トレイ１５０の中心には、下方へ延びる第２中空管１５２が設けられる。前記第２中空管１５２は、上トレイ１３０の第１中空管１３５を通過して水ポンプ１２０の排水口１２２に連結される（図３を参照）。さらに、貯水トレイ１５０には、内縁１５３が第２中空管１５２の上端を取り囲んで形成され、外周に沿って外縁１５４が形成される。こうすることで、内縁１５３と外縁１５４との間には、貯水空間１５１が形成される。具体的に図示される実施例では、貯水空間１５１は、内縁１５３の外側斜面及び外縁１５４の内側斜面により囲まれて形成される。なお、貯水トレイ１５０の水が貯水トレイ１５０の外周からしか溢れないように、内縁１５３を外縁１５４よりも高くする必要がある。さらに、貯水トレイ１５０の外周には、上トレイ１３０の第１段部１３４上に支持される外側壁１５５が下方に延びてさらに設けられる。また、前記外側壁１５５の底部に沿って少なくとも１つの流れ案内切欠口１５６が開設される。図示される実施例では、４つの外側壁１５５の底部には、それぞれ１つの流れ案内切欠口１５６が開設されることで、貯水トレイ１５０の外縁から溢れた水が流れ案内切欠口１５６を流れて上トレイ１３０の凹溝１３３内に流入した後、凹溝１３３内のフィルター１４０によって濾過された後に凹溝１３３の底部の複数の貫通孔１３６から貯水タンク１１０内に還流する。
【００２６】
さらに、図１〜図３に示すように、花形ノズル１６０は、貯水トレイ１５０の中部上方に取り付けられる。花形ノズル１６０の外周には、複数の排水口１６４が設けられる。花形ノズル１６０の中心には、貯水トレイ１５０の第２中空管１５２内に挿着される第３中空管１６１が下方へ延びて設けられる。花形ノズル１６０には、第３中空管１６１の頂部に被せる止水トップカバー１６５がさらに設けられる。貯水タンク１１０内の水は、水ポンプ１２０の排水口１２２を介して上方に向けて貯水トレイ１５０の第２中空管１５２に流入して、花形ノズル１６０の第３中空管１６１に流入した後に複数の排水口１６４から流出する。具体的には、図４及び図５に示すように、第３中空管１６１の上端には、外方へ延びる上縁１６２が形成され、複数の花弁状の突起１６３が上縁１６２を取り囲んで等間隔で形成される。各隣り合う２つの花弁状の突起１６３の側壁１６３１の間の隙間は、排水口１６４として形成される。すなわち、各排水口１６４は、隣り合う２つの花弁状の突起１６３の側壁１６３１及び上縁１６２によって囲まれて形成される。さらに、花弁状の突起１６３の側壁１６３１から、外方に向けて上縁１６２の外部まで延びて遮断板１６３２が形成され（図５に示す）、これにより、排水口１６４から水をスムーズに排水することを確保できる。また、図４及び図５に示すように、止水トップカバー１６５は、複数の前記花弁状の突起１６３の内側の上部を覆う天板１６５２を有し、天板１６５２の底面の中部から下方に延びて第４中空管１６５１が形成される。前記第４中空管１６５１の下部には、第３中空管１６１内に挿入されて第３中空管１６１に螺接される雄ねじ１６５３が設置される。前記第４中空管１６５１の上部には、複数の開口１６５４が形成される。これにより、第４中空管１６５１の下部の雄ねじ１６５３が第３中空管１６１に螺接した後、花形ノズル１６０の各排水口１６４は、第４中空管１６５１の上部の開口１６５４に正対するようになる。こうすることで、貯水タンク１１０内の水は、水ポンプ１２０の排水口１２２を介して上方に向けて貯水トレイ１５０の第２中空管１５２に流入してから花形ノズル１６０の第３中空管１６１に流入した後、天板１６５２によって遮断されて複数の排水口１６４から流出する。本発明の異なる実施例によれば、排水口１６４が形成される突起１６３は図示されている花弁状に限定されず、異なる美観を醸し出すために異なる形状に設計されてもよい。
【００２７】
図３の点線矢印で示されるように、本発明の第１実施例に係るペット用水飲み装置１００の流水循環過程は以下のようになる。貯水タンク１１０内の水は、水ポンプ１２０によって排水口１２２を介して第２中空管１５２内に汲み入れられて、第２中空管１５２によって花形ノズル１６０の複数の排水口１６４から流出した後、貯水トレイ１５０の貯水空間１５１内に流れ落ちる。また、貯水空間１５１内の水位が外縁１５４よりも高くなると、貯水空間１５１内の水は外縁１５４から溢れて流れ案内切欠口１５６を介して凹溝１３３内に流入して、フィルター１４０によって濾過された後、凹溝１３３の底部１３３１に開設される貫通孔１３６から貯水タンク１１０に還流する。また、上トレイ１３０の側壁には、貯水タンク１１０の内部と直接に連通する少なくとも１つの溢水孔１３７がさらに開設され、これにより、凹溝１３３から溢れた水を前記溢水孔１３７から貯水タンク１１０内へ直接に還流させる。その後、水流は濾過スポンジ１７０を経て、水ポンプ１２０によって第２中空管１５２内に汲み入れられる。こうすることで、流水循環を実現するほか、循環濾過を行って水質を新鮮に維持し、ペットの健康を確保する。本発明の第１実施例に係るペット用水飲み装置１００に用いられるフィルター１４０の構造は、図６に示すように、不織布下層１４１及び不織布上層１４２を含む。不織布下層１４１及び不織布上層１４２には、中心貫通孔１４１１、１４２１が対応して開設される。不織布下層１４１は、複数の収容室１４１２を有する。不織布下層１４１及び不織布上層１４２は、熱溶着または超音波溶接によって一体的に連結されることで、複数の前記収容室１４１２を密閉する。複数の前記収容室１４１２内には、貯水タンク１１０内に還流した水を濾過して浄化するための、活性炭及び／又はイオン交換樹脂などの濾過材パッケージ１４３が充填される。
【００２８】
図７〜図９は、本発明の第２実施例に係るペット用水飲み装置２００を示す。前記ペット用水飲み装置２００は、第１実施例に係るペット用水飲み装置１００と基本的に同じ構造を有する。図７〜図９に示すように、ペット用水飲み装置２００は、主に、貯水タンク２１０、水ポンプ２２０、上トレイ２３０、フィルター２４０、貯水トレイ２５０及び花形ノズル２６０からなる。貯水タンク２１０は、ペットが飲用する水を貯留するためのものである。水ポンプ２２０は、貯水タンク２１０内に取り付けられる。上トレイ２３０は、貯水タンク２１０の上端に取り付けられる。貯水トレイ２５０は、上トレイ２３０の上方に取り付けられる。フィルター２４０は、上トレイ２３０と貯水トレイ２５０との間に設置される。水ポンプ２２０の排水口２２２は、貯水トレイ２５０の給水口２５１に連通する。貯水タンク２１０内の水は、水ポンプ２２０の排水口２２２を介して上方に向けて貯水トレイ２５０の給水口２５１に流入して、貯水トレイ２５０から上トレイ２３０に流れ落ちて、フィルター２４０によって濾過された後に上トレイ２３０を経て貯水タンク２１０内に還流する。
【００２９】
具体的には、図７に示すように、貯水タンク２１０の側壁には、利用者が貯水タンク２１０内の水位を覗くための透明または半透明な覗き窓２１２が設けられる。貯水タンク２１０内の底部には、第１周位置規制部２１４（図１０を参照）が形成される。水ポンプ２２０は、前記第１周位置規制部２１４によって囲まれる領域内に着脱可能に装着される。例えば、水ポンプ２２０は、底部に設置される吸盤２２３により、第１周位置規制部２１４によって囲まれる領域内に吸着されてもよい。水ポンプ２２０の給水口２２１には、水ポンプ２２０に流入する水を前濾過するための濾過スポンジ２７０が設置されることが好ましい。同様に、濾過スポンジ２７０は、貯水タンク２１０内の底部に形成される第２周位置規制部２１５によって囲まれる領域内に設置されてもよい（図１０を参照）。第１実施例に係るペット用水飲み装置１００と同様に、貯水タンク２１０内には、側壁に沿って配線溝２１１が設けられる。前記配線溝２１１は、貯水タンク２１０の上端から下方に延びて貯水タンク２１０の底部の外まで貫通する。これにより、水ポンプ２２０の電源コードは、前記配線溝２１１の上端から下方に向けて前記配線溝２１１を通り抜けた後に貯水タンク２１０の底部から導出される。さらに、図８及び図９に示すように、貯水タンク２１０の側壁の底端には、電源コード２２４を容易に導出するための配線導出切欠口２１３が配線溝２１１に正対して開設される。また、配線溝２１１の上端には、配線導入切欠口２１１１が開設されてもよい。電源コード２２４は、配線導入切欠口２１１１から配線溝２１１内に導入されると、配線溝２１１の上端に１つの弾性栓部２８０（例えば、ゲルブロック）が設置されて配線溝２１１の上端を封止することで、配線溝２１１内からの水漏れをより効果的に防止することができる。弾性栓部２８０には、配線導入切欠口２８１も開設されることで、水ポンプ２２０の電源コード２２４を前記配線導入切欠口２８１から配線溝２１１に導入する（図１１を参照）。
【００３０】
また、図７〜図９に示すように、上トレイ２３０は、係止構造またはタイトフィット構造によって貯水タンク２１０上に着脱可能に固定され、貯水トレイ２５０も、係止構造またはタイトフィット構造によって上トレイ２３０上に着脱可能に固定されてもよい。具体的には、図７に示すように、上トレイ２３０には、貯水タンク２１０の上端の形状と一致して貯水タンク２１０の上端に当接される上端縁２３１が設けられる。また、上トレイ２３０は、係止構造またはタイトフィット構造によって貯水タンク２１０の上端に固定される。貯水タンク２１０の頂端には、上トレイ２３０と貯水タンク２１０とを容易に分離させるための２つの対向する切欠口２１６が設置される。上トレイ２３０の中部には、フィルター２４０を収納するための、下方に凹んだ凹溝２３２が形成される。具体的には、図７及び図９に示すように、凹溝２３２の底部の中心には、上方に延びる第１中空管２３３が設置される。凹溝２３２の底部には、水浸透のための複数の貫通孔２３４が第１中空管２３３を取り囲んで開設される。フィルター２４０は、その中心部の貫通孔を介して、第１中空管２３３の外周に外嵌されるとともに凹溝２３２内にちょうど設置される。上トレイ２３０には、貯水トレイ２５０を取り付けるための段部２３５が凹溝２３２の上方に形成される。貯水トレイ２５０は、段部２３５の外形と一致する外部輪郭を有する。貯水トレイ２５０の中心には、下方へ延びる第２中空管２５１が設けられる。前記第２中空管２５１は、上トレイ２３０の第１中空管２３３を通過して水ポンプ２２０の排水口２２２に連結される（図９を参照）。さらに、貯水トレイ２５０には、内縁２５２が第２中空管２５１の上端を取り囲んで形成される。貯水トレイ２５０は、上トレイ２３０の段部２３５上に支持される外縁２５３をさらに有する。こうすることで、貯水トレイ２５０の内縁２５２と外縁２５３との間には、貯水空間２５４が形成される。また、貯水トレイ２５０上には、複数周の落水孔２５５が設置され、これにより、貯水トレイ２５０の水が流れ落ちてフィルター２４０によって濾過された後、凹溝２３２内の複数の貫通孔２３４を介して貯水タンク２１０内に還流する。上トレイ２３０の凹溝２３２の上方には、複数の溢水孔２３６が開設される。溢水孔２３６は、貯水タンク２１０の内部空間と直接に連通するため、上トレイ２３０内の水が溢水孔２３６を介して貯水タンク２１０内に還流することもできる。
【００３１】
花形ノズル２６０は、貯水トレイ２５０の上方に取り付けられ、第１実施例に係るペット用水飲み装置１００の花形ノズル１６０と同じ構造を有する。フィルター２４０も第１実施例に係るペット用水飲み装置１００のフィルター１４０と同じ構造を有する。
【００３２】
図９の点線矢印で示されるように、本発明の第２実施例に係るペット用水飲み装置２００の流水循環過程は以下のようになる。貯水タンク２１０内の水は、水ポンプ２２０によって排水口２２２を介して、貯水トレイ２５０の給水口としての第２中空管２５１内に汲み入れられて、第２中空管２５１によって花形ノズル２６０の複数の排水口から流出した後に貯水トレイ２５０の貯水空間２５４内に流れ落ちてから、落水孔２５５を介して上トレイ２３０の凹溝２３２内に流れ落ちて、フィルター２４０によって濾過された後に凹溝２３２の底部の貫通孔２３４から貯水タンク２１０に還流する。また、上トレイ２３０の側壁には、貯水タンク２１０の内部と直接に連通する少なくとも１つの溢水孔２３６がさらに開設され、これにより、凹溝２３２から溢れた水を前記溢水孔２３６から貯水タンク２１０内へ直接に還流させる。その後、水流は濾過スポンジ２７０を経て、水ポンプ２２０によって第２中空管２５１内に汲み入れられる。こうすることで、流水循環を実現するほか、循環濾過を行って水質を新鮮に維持し、ペットの健康を確保する。
【００３３】
本発明の他の実施例によれば、花形ノズル２６０は必ずしも必要ではない。貯水タンク２１０内の水は、水ポンプ２２０の排水口２２２を介して貯水トレイ２５０の第２中空管２５１内に汲み入れられて、貯水トレイ２５０の貯水空間２５４内に貯留された後、落水孔２５５を介して上トレイ２３０の凹溝２３２内に流れ落ちて、フィルター２４０によって濾過された後に凹溝２３２の底部の貫通孔２３４から貯水タンク２１０に還流する。こうすることで、流水循環を実現する。
【００３４】
本発明の好適な実施例を前述の通り開示したが、これらは決して本発明を限定するものではない。本発明の内容に基づく如何なる変更や均等的な置換、改良などは、本発明の保護を求める範囲内に属するものである。
【図１】
2019162096.tif 000003
【図２】
2019162096.tif 000004
【図３】
2019162096.tif 000005
【図４】
2019162096.tif 000006
【図５】
2019162096.tif 000007
【図６】
2019162096.tif 000008
【図７】
2019162096.tif 000009
【図８】
2019162096.tif 000010
【図９】
2019162096.tif 000011
【図１０】
2019162096.tif 000012
【図１１】
2019162096.tif 000013
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
ペット用水飲み装置であって、
貯水タンクと、
貯水タンク内に取り付けられる水ポンプと、
上トレイと、
上トレイの上方に取り付けられる貯水トレイと、
上トレイと貯水トレイとの間に設置されるフィルターと、を含み、
前記水ポンプの排水口は、貯水トレイの給水口に連通し、
前記貯水タンク内の水は、水ポンプの排水口を介して上方に向けて貯水トレイの給水口に流入して、貯水トレイからフィルターによって濾過されてから上トレイを経て貯水タンク内に還流し、
前記上トレイは、貯水タンクの上端に当接される上端縁を有し、
前記上トレイの中部には、下方に凹んだ凹溝が形成され、
前記凹溝の底部の中心には、貯水タンク内まで貫通する第１中空管が設置され、第１中空管を取り囲んで複数の貫通孔が開設され、
前記フィルターは、前記凹溝内に収容され第１中空管の外周に外嵌され、
前記貯水トレイには、下方に延びる第２中空管が設けられ、
前記第２中空管は、上トレイの第１中空管を通過して水ポンプの排水口に連結され、
前記貯水トレイには、複数の落水孔が設置され、これにより、貯水トレイの水が流れ落ちてフィルターによって濾過された後、前記凹溝内の複数の貫通孔を介して貯水タンク内に還流し、
前記貯水トレイの上方に取り付けられる花形ノズルをさらに含み、
前記貯水タンク内の水は、水ポンプの排水口を介して上方に向けて貯水トレイの給水口に流入してから花形ノズルに流入して、貯水トレイに流れ落ちた後にフィルターによって濾過されて、上トレイを経て貯水タンク内に還流し、
前記花形ノズルの外周には、複数の排水口が設けられ、前記花形ノズルの中心には、貯水トレイの第２中空管内に挿着される第３中空管が下方へ延びて設けられ、
前記花形ノズルには、第３中空管の頂部に被せる止水トップカバーがさらに設けられ、
前記貯水タンク内の水は、水ポンプの排水口を介して上方へ向けて貯水トレイの第２中空管に流入して、花形ノズルの第３中空管に流入した後に排水口から流出し、
前記花形ノズルの第３中空管の上端には、外方へ延びる上縁が形成され、前記上縁を取り囲んで複数の花弁状の突起が等間隔で形成され、
各隣り合う２つの花弁状の突起の間の隙間は、前記排水口として形成され、
前記止水トップカバーは、複数の前記花弁状の突起の内側の上部を覆う天板と、天板の底面の中部から下方へ延びる第４中空管とを含み、
前記第４中空管の下部は、第３中空管に螺接され、前記第４中空管の上部には、各排水口に対応して開口が形成されることを特徴とするペット用水飲み装置。
【請求項２】
前記上トレイには、貯水タンクの内部空間と直接に連通する少なくとも１つの溢水孔が開設されることを特徴とする請求項１に記載のペット用水飲み装置。
【請求項３】
前記貯水トレイの、第２中空管の上端を取り囲んで形成される内縁と前記上トレイに支持される外縁との間には、水を溜めることが可能な空間が形成されることを特徴とする請求項１に記載のペット用水飲み装置。
【請求項４】
前記貯水タンク内の底部には、第１周位置規制部が形成され、
前記水ポンプの底部には、前記第１周位置規制部によって囲まれる領域内に吸着される吸盤が設置されることを特徴とする請求項１に記載のペット用水飲み装置。
【請求項５】
前記水ポンプの給水口には、濾過スポンジがさらに設置され、
前記濾過スポンジは、貯水タンク内の底部に形成される第２周位置規制部によって囲まれる領域内に設置されることを特徴とする請求項４に記載のペット用水飲み装置。
【請求項６】
前記貯水タンク内には、側壁に沿って上端から下方に向けて貯水タンクの底部の外まで貫通する配線溝が設けられ、
前記水ポンプの電源コードは、前記配線溝を通り抜けて貯水タンクの底部から導出されることを特徴とする請求項１に記載のペット用水飲み装置。
【請求項７】
前記貯水タンクの側壁の底端には、電源コードを容易に導出するための配線導出切欠口が開設されることを特徴とする請求項６に記載のペット用水飲み装置。
【請求項８】
前記配線溝の上端には、配線導入切欠口が開設されることで、水ポンプの電源コードを前記配線導入切欠口から配線溝に導入することを特徴とする請求項６に記載のペット用水飲み装置。
【請求項９】
前記配線溝の上端には、配線溝の上端を封止する弾性栓部が設置され、
前記弾性栓部には、配線導入切欠口が開設されることで、水ポンプの電源コードを前記配線導入切欠口から配線溝に導入することを特徴とする請求項６に記載のペット用水飲み装置。
【請求項１０】
前記貯水タンクの側壁には、透明または半透明な覗き窓が設置されることを特徴とする請求項１に記載のペット用水飲み装置。
【請求項１１】
前記貯水トレイは、係止構造またはタイトフィット構造によって前記上トレイ上に固定され、
前記上トレイは、係止構造またはタイトフィット構造によって前記貯水タンク上に固定されることを特徴とする請求項１に記載のペット用水飲み装置。
【請求項１２】
前記貯水タンクの頂端には、前記上トレイと前記貯水タンクとを容易に分離させるための少なくとも１つの切欠口が設置されることを特徴とする請求項１１に記載のペット用水飲み装置。
【請求項１３】
前記フィルターは、複数の収容室を有する不織布下層と、前記不織布下層に固定的に接続されて複数の前記収容室を密閉するための不織布上層とを含み、
複数の前記収容室内には、いずれも濾過材が充填されることを特徴とする請求項１に記載のペット用水飲み装置。